【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
画像を表示する表示部を備える画像表示装置であって、
人物の顔の領域を含む画像と当該画像に含まれる人物を識別する識別情報とを記憶する記憶手段と、
画像表示指示を受け付けた場合に、前記記憶手段に記憶されている画像を表示部に表示する表示制御手段と、
前記表示制御手段が前記記憶手段に記憶されている画像を表示部に表示した後に、前記表示制御手段が表示している画像の表示切替指示を受け付ける切替指示受付手段と、
前記表示している画像に含まれる人物の顔の領域が選択されているか否か判断する判断手段と、
前記切替指示受付手段が前記表示切替指示を受け付け、かつ、前記判断手段により人物の顔の領域が選択されていると判断されている場合に、前記記憶手段に記憶されている複数の画像のうち、前記選択されている人物を識別する識別情報と同じ識別情報の人物の顔の領域を含む画像を特定する特定手段と、
前記表示制御手段を用いて、前記表示部に表示されている画像を、前記特定手段により特定された画像に切り替える切替手段と、
を備え、
前記切替手段が切替えたあとに、前記表示制御手段は、前記特定された画像に切り替えて前記表示部に表示するとともに、前記切り替えた画像に含まれている人物の顔の領域が識別できる枠を重ねて表示することを特徴とする画像表示装置。
【請求項２】
前記表示制御手段が切り替えて表示する前記特定された画像には、前記選択されていた人物を識別する識別情報と同じ識別情報の人物に前記識別できる枠が重ねて表示されることを特徴とする請求項１に記載の画像表示装置。
【請求項３】
前記切り替えた画像に含まれている人物の顔の領域に前記識別できる枠が重ねて表示されている場合に、前記判断手段が前記表示している画像に含まれる人物の顔の領域が選択されていると判断することを特徴とする請求項１または請求項２に記載の画像表示装置。
【請求項４】
前記切替指示受付手段が前記表示切替指示を受け付け、かつ、前記判断手段により人物の顔の領域が選択されていないと判断されている場合には、前記切替手段は、前記表示部に表示されている画像を前記記憶手段に記憶されている別画像に切り替えることを特徴とする請求項乃至請求項３のいずれか１項に記載の画像表示装置。
【請求項５】
画像を表示する表示部と、人物の顔の領域を含む画像と当該画像に含まれる人物を識別する識別情報とを記憶する記憶手段とを備える画像表示装置における画像表示方法であって、
前記画像表示装置の表示制御手段が、画像表示指示を受け付けた場合に、前記記憶手段に記憶されている画像を表示部に表示する表示制御工程と、
前記画像表示装置の切替指示受付手段が、前記表示制御工程が前記記憶手段に記憶されている画像を表示部に表示した後に、前記表示制御工程が表示している画像の表示切替指示を受け付ける切替指示受付工程と、
前記画像表示装置の判断手段が、前記表示している画像に含まれる人物の顔の領域が選択されているか否か判断する判断工程と、
前記画像表示装置の特定手段が、前記切替指示受付工程が前記表示切替指示を受け付け、かつ、前記判断工程により人物の顔の領域が選択されていると判断されている場合に、前記記憶手段に記憶されている複数の画像のうち、前記選択されている人物を識別する識別情報と同じ識別情報の人物の顔の領域を含む画像を特定する特定工程と、
前記画像表示装置の切替手段が、前記表示部に表示されている画像を、前記特定工程により特定された画像に切り替える切替工程と、
を含み、
前記切替工程が切替えたあとに、前記表示制御工程は、前記特定された画像に切り替えて前記表示部に表示するとともに、前記切り替えた画像に含まれている人物の顔の領域が識別できる枠を重ねて表示することを特徴とする画像表示方法。
【請求項６】
画像を表示する表示部と、人物の顔の領域を含む画像と当該画像に含まれる人物を識別する識別情報とを記憶する記憶手段とを備える画像表示装置で読み取り実行可能なプログラムであって、
前記画像表示装置を、
画像表示指示を受け付けた場合に、前記記憶手段に記憶されている画像を表示部に表示する表示制御手段と、
前記表示制御手段が前記記憶手段に記憶されている画像を表示部に表示した後に、前記表示制御手段が表示している画像の表示切替指示を受け付ける切替指示受付手段と、
前記表示している画像に含まれる人物の顔の領域が選択されているか否か判断する判断手段と、
前記切替指示受付手段が前記表示切替指示を受け付け、かつ、前記判断手段により人物の顔の領域が選択されていると判断されている場合に、前記記憶手段に記憶されている複数の画像のうち、前記選択されている人物を識別する識別情報と同じ識別情報の人物の顔の領域を含む画像を特定する特定手段と、
前記表示制御手段を用いて、前記表示部に表示されている画像を、前記特定手段により特定された画像に切り替える切替手段と、
して機能させ、
前記切替手段が切替えたあとに、前記表示制御手段は、前記特定された画像に切り替えて前記表示部に表示するとともに、前記切り替えた画像に含まれている人物の顔の領域が識別できる枠を重ねて表示することを特徴とするプログラム。
【手続補正２】
【補正対象書類名】明細書
【補正対象項目名】発明の名称
【補正方法】変更
【補正の内容】
【発明の名称】画像表示装置、画像表示方法、およびそのプログラム。
【手続補正３】
【補正対象書類名】明細書
【補正対象項目名】０００１
【補正方法】変更
【補正の内容】
【０００１】
画像表示装置、画像表示方法、およびそのプログラムに関し、特に、記憶部に記憶されている画像群の中からユーザが所望とする画像だけを表示することができる画像表示装置、画像表示方法、およびそのプログラムに関する。
【手続補正４】
【補正対象書類名】明細書
【補正対象項目名】００１０
【補正方法】変更
【補正の内容】
【００１０】
そこで、本願発明は、複雑な設定操作を行わずに、記憶部に記憶された人物が映っている画像を切り替えたあとも、どの人物が映っている画像に切り替わったのかを操作者が認識することが可能な画像表示装置、画像表示方法、プログラムを提供することを目的とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本願発明は、画像を表示する表示部を備える画像表示装置であって、人物の顔の領域を含む画像と当該画像に含まれる人物を識別する識別情報とを記憶する記憶手段と、画像表示指示を受け付けた場合に、前記記憶手段に記憶されている画像を表示部に表示する表示制御手段と、前記表示制御手段が前記記憶手段に記憶されている画像を表示部に表示した後に、前記表示制御手段が表示している画像の表示切替指示を受け付ける切替指示受付手段と、前記表示している画像に含まれる人物の顔の領域が選択されているか否か判断する判断手段と、前記切替指示受付手段が前記表示切替指示を受け付け、かつ、前記判断手段により人物の顔の領域が選択されていると判断されている場合に、前記記憶手段に記憶されている複数の画像のうち、前記選択されている人物を識別する識別情報と同じ識別情報の人物の顔の領域を含む画像を特定する特定手段と、前記表示制御手段を用いて、前記表示部に表示されている画像を、前記特定手段により特定された画像に切り替える切替手段と、を備え、前記切替手段が切替えたあとに、前記表示制御手段は、前記特定された画像に切り替えて前記表示部に表示するとともに、前記切り替えた画像に含まれている人物の顔の領域が識別できる枠を重ねて表示することを特徴とする。
【手続補正７】
【補正対象書類名】明細書
【補正対象項目名】００１３
【補正方法】変更
【補正の内容】
【００１３】
また、前記表示制御手段が切り替えて表示する前記特定された画像には、前記選択されていた人物を識別する識別情報と同じ識別情報の人物に前記識別できる枠が重ねて表示されることを特徴とする。
【手続補正８】
【補正対象書類名】明細書
【補正対象項目名】００１４
【補正方法】変更
【補正の内容】
【００１４】
また、前記切り替えた画像に含まれている人物の顔の領域に前記識別できる枠が重ねて表示されている場合に、前記判断手段が前記表示している画像に含まれる人物の顔の領域が選択されていると判断することを特徴とする。
【手続補正９】
【補正対象書類名】明細書
【補正対象項目名】００１５
【補正方法】変更
【補正の内容】
【００１５】
また、前記切替指示受付手段が前記表示切替指示を受け付け、かつ、前記判断手段により人物の顔の領域が選択されていないと判断されている場合には、前記切替手段は、前記表示部に表示されている画像を前記記憶手段に記憶されている別画像に切り替えることを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
本願発明によれば、複雑な設定操作を行わずに、記憶部に記憶された人物が映っている画像を切り替えたあとも、どの人物が映っている画像に切り替わったのかを操作者が認識することが可能な画像表示装置、画像表示方法、プログラムを提供することが可能となる。
【手続補正１５】
【補正対象書類名】明細書
【補正対象項目名】００２１
【補正方法】削除
【補正の内容】